(57)【要約】【課題】出力対象データの一部について出力管理することができるデータ出力装置、記録媒体及びプログラムを提供する。【解決手段】出力対象データを記憶する記憶部８９と、出力対象情報が記録された書籍に付され、前記出力対象データの出力を管理するための管理情報のデータが記録された、ＩＣチップを読み取るＩＣ読取部８７と、前記出力対象データの一部又は全部を出力するように指示するための表示部８２ａ及び操作部８２ｂと、前記出力対象データを出力するプリンタ部８０４とを備え、制御部９０は、前記管理情報により前記出力対象データの限定された一部が出力許可されている場合に、表示部８２ａ及び操作部８２ｂにより指示された前記出力対象データのうち、前記限定された一部に含まれるデータを出力させるようにしている。【選択図】        図２
2004295562.tif 000002
【特許請求の範囲】
【請求項１】
出力の対象となる対象情報のデータを記憶するデータ記憶手段と、前記対象情報が記録された第１の記録媒体に付され、前記対象情報のデータの出力を管理するための管理情報のデータが記録された、第２の記録媒体から前記管理情報のデータを読み取る管理情報読取手段と、前記対象情報のデータの一部又は全部を出力するように指示情報を入力するための指示入力手段と、前記管理情報及び前記指示情報により、前記対象情報のデータの出力を制御する出力制御手段と、前記出力制御手段の制御により、前記対象情報のデータを出力するデータ出力手段とを備えたデータ出力装置であって、
前記管理情報により前記対象情報のデータの限定された一部の出力が許可されている場合に、前記出力制御手段は、前記指示情報により指示された前記対象情報のデータの一部又は全部のうち、前記限定された一部に含まれるデータを出力させるようにしたことを特徴とするデータ出力装置。
【請求項２】
出力の対象となる対象情報のデータ、及び前記対象情報のデータの出力を管理するための管理情報のデータを、前記対象情報を識別するための識別情報のデータと対応させて記憶するデータ記憶手段と、前記対象情報が記録された第１の記録媒体に付され、前記識別情報のデータが記録された第２の記録媒体から、前記識別情報のデータを読み取る識別情報読取手段と、前記識別情報に対応する前記対象情報のデータの一部又は全部を出力するように指示情報を入力するための指示入力手段と、前記識別情報に対応する前記管理情報及び前記指示情報により、前記対象情報のデータの出力を制御する出力制御手段と、前記出力制御手段の制御により、前記対象情報のデータを出力するデータ出力手段とを備えたデータ出力装置であって、
前記管理情報により前記対象情報のデータの限定された一部の出力が許可されている場合に、前記出力制御手段は、前記指示情報により指示された前記対象情報のデータの一部又は全部のうち、前記限定された一部に含まれるデータを出力させるようにしたことを特徴とするデータ出力装置。
【請求項３】
前記指示入力手段により、前記限定された一部を除く部分を出力するように指示された場合に、前記出力制御手段は、前記対象情報のデータの出力を禁止するようにしたことを特徴とする請求項１または２に記載のデータ出力装置。
【請求項４】
前記データ出力装置をネットワークに接続するネットワーク接続手段を備え、前記データ記憶手段が、前記ネットワークを介して取得された前記対象情報のデータを記憶することを特徴とする請求項１乃至３のいずれかに記載のデータ出力装置。
【請求項５】
前記データ記憶手段が、前記対象情報に関連する関連情報のデータを記憶し、前記指示入力手段が、前記関連情報のデータを出力するように指示情報を入力したとき、前記データ出力手段は、前記関連情報のデータを出力するようにしたことを特徴とする請求項１乃至４のいずれかに記載のデータ出力装置。
【請求項６】
前記出力制御手段は、前記限定された一部に含まれるデータを出力するとき、出力するデータが出力許可されたものであることを示す許可情報を付加するようにしたことを特徴とする請求項１乃至５のいずれかに記載のデータ出力装置。
【請求項７】
前記指示情報には、前記限定された一部を更新するための更新情報を含み、前記出力制御手段は、前記更新情報に応じて前記限定された一部を更新するようにしたことを特徴とする請求項１乃至６のいずれかに記載のデータ出力装置。
【請求項８】
前記データ記憶手段に記憶された前記対象情報のデータから、任意の検索情報のデータを含む部分を検索して出力するモードを設定するモード設定手段を備え、
前記モードで、前記指示入力手段により任意の検索情報が入力されたとき、前記出力制御手段は、前記対象情報のデータから前記任意の検索情報のデータを含む部分を検索し、前記データ出力手段から出力させるようにしたことを特徴とする請求項１乃至７のいずれかに記載のデータ出力装置。
【請求項９】
コンピュータに、出力の対象となる対象情報のデータの一部又は全部を出力するように指示する第１のステップと、前記対象情報が記録された第１の記録媒体に付され、前記対象情報のデータの出力を管理するための管理情報のデータが記録された第２の記録媒体から、前記管理情報のデータを読み取る第２のステップと、第２のステップで取得された前記管理情報により、前記対象情報のデータの限定された一部が出力許可されている場合に、第１のステップで指示された前記対象情報のデータの一部又は全部のうち、前記限定された一部に含まれるデータを出力する第３のステップとを実行させるプログラムを記録したことを特徴とするコンピュータ読み取り可能な記録媒体。
【請求項１０】
コンピュータに、出力の対象となる対象情報のデータの一部又は全部を出力するように指示する第１のステップと、前記対象情報が記録された第１の記録媒体に付され、前記対象情報のデータの出力を管理するための管理情報のデータが記録された第２の記録媒体から、前記管理情報のデータを読み取る第２のステップと、第２のステップで取得された前記管理情報により、前記対象情報のデータの限定された一部が出力許可されている場合に、第１のステップで指示された前記対象情報のデータの一部又は全部のうち、前記限定された一部に含まれるデータを出力する第３のステップとを実行させることを特徴とするプログラム。
【発明の詳細な説明】
【０００１】
【発明の属する技術分野】
本発明は、書籍などのデータを記録媒体に出力するデータ出力装置、記録媒体及びプログラムに関するものである。
【０００２】
【従来の技術】
従来のデータ出力装置は、ユーザのアクセス権を記憶した非接触読取型のデータキャリア「ＲＦＩＤ（Ｒａｄｉｏ  Ｆｒｅｑｕｅｎｃｙ  Ｉｄｅｎｔｉｆｉｃａｔｉｏｎ）」と、機密文書の機密レベルが付されたＲＦＩＤとを、複写機に設けたＩＣリーダライタで読み取り、前記アクセス権が前記機密レベルをクリアする場合に、前記複写機が前記機密文書を複写するようにしている（例えば、特許文献１参照）。さらに、特許文献２には、非接触型のＩＣカード技術（ＲＦＩＤを含む技術）が記載されている。前記ＲＦＩＤは、データ記憶用のＩＣチップと通信用のアンテナとを内蔵しており、プラスチックカードやタグ形のものが開発されている。
【０００３】
また、持ち出し及び返却する対象物に帯状のＩＣシール（前述のＲＦＩＤに相当する）を付し、このＩＣシールに記憶された情報を読み取ることにより、不正な持ち出し及び返却を検出ているものもある（例えば、特許文献３参照）。
【０００４】
なお、バーコード読取装置を備え、バーコードを利用して不正コピーを禁止するようにしているものもある（例えば、特許文献４参照）。
【０００５】
【特許文献１】
特開２００１‐１６０１１７号公報（図１、図２）
【０００６】
【特許文献２】
特開２０００‐２４２７５４号公報（図１）
【０００７】
【特許文献３】
特開２００２‐１９９２２号公報（図１、図２、図７）
【０００８】
【特許文献４】
特開平９‐８９６５号公報（図９、図１０、図１１）
【０００９】
【発明が解決しようとする課題】
しかしながら、このような従来のデータ出力装置では、前述のＲＦＩＤを利用して機密文書や書籍のデータの出力を管理するとき、前記機密文書や前記書籍に関するデータ全部の出力の可否を判断していたために、出力条件に応じて一部のみを出力する点については配慮がなされず、利用者の多様なニーズに充分応えることができないという問題があった。例えば、予め決められた情報公開基準や複写料金などの複写条件により、機密文書や書籍の複写をデータの一部に限る場合に対応できなかった。
【００１０】
本発明は、このような問題を解決するためになされたもので、出力対象データの一部について出力管理することができるデータ出力装置、記録媒体及びプログラムを提供するものである。
【００１１】
【課題を解決するための手段】
請求項１に係る本発明のデータ出力装置は、出力の対象となる対象情報のデータを記憶するデータ記憶手段と、前記対象情報が記録された第１の記録媒体に付され、前記対象情報のデータの出力を管理するための管理情報のデータが記録された、第２の記録媒体から前記管理情報のデータを読み取る管理情報読取手段と、前記対象情報のデータの一部又は全部を出力するように指示情報を入力するための指示入力手段と、前記管理情報及び前記指示情報により、前記対象情報のデータの出力を制御する出力制御手段と、前記出力制御手段の制御により、前記対象情報のデータを出力するデータ出力手段とを備えたデータ出力装置であって、前記管理情報により前記対象情報のデータの限定された一部の出力が許可されている場合に、前記出力制御手段は、前記指示情報により指示された前記対象情報のデータの一部又は全部のうち、前記限定された一部に含まれるデータを出力させるようにした構成を有している。
【００１２】
この構成により、書籍などのデータの限定された一部が出力許可されている場合に、出力指示された前記データの一部又は全部のうち、前記限定された一部に含まれるデータのみを出力させるので、例えば「ＩＤ番号」、「印刷可能な頁番号」などの管理情報のデータが付された記録媒体（書籍など）の部分情報を適切に管理できることとなる。
【００１３】
請求項２に係る本発明のデータ出力装置は、出力の対象となる対象情報のデータ、及び前記対象情報のデータの出力を管理するための管理情報のデータを、前記対象情報を識別するための識別情報のデータと対応させて記憶するデータ記憶手段と、前記対象情報が記録された第１の記録媒体に付され、前記識別情報のデータが記録された第２の記録媒体から、前記識別情報のデータを読み取る識別情報読取手段と、前記識別情報に対応する前記対象情報のデータの一部又は全部を出力するように指示情報を入力するための指示入力手段と、前記識別情報に対応する前記管理情報及び前記指示情報により、前記対象情報のデータの出力を制御する出力制御手段と、前記出力制御手段の制御により、前記対象情報のデータを出力するデータ出力手段とを備えたデータ出力装置であって、前記管理情報により前記対象情報のデータの限定された一部の出力が許可されている場合に、前記出力制御手段は、前記指示情報により指示された前記対象情報のデータの一部又は全部のうち、前記限定された一部に含まれるデータを出力させるようにした構成を有している。
【００１４】
この構成により、書籍などのデータの限定された一部が出力許可されている場合に、出力指示された前記データの一部又は全部のうち、前記限定された一部に含まれるデータのみを出力させるので、例えばＩＤデータ付き記録媒体（書籍など）の部分情報を適切に管理できることとなる。
【００１５】
請求項３に係る本発明のデータ出力装置は、請求項１または２において、前記指示入力手段により、前記限定された一部を除く部分を出力するように指示された場合に、前記出力制御手段は、前記対象情報のデータの出力を禁止するようにした構成を有している。
【００１６】
この構成により、出力指示されたデータの部分が、管理情報で許可された部分以外であるときは前記データの出力を禁止するので、管理情報のデータが付された記録媒体（書籍など）の部分情報を適切に管理できることとなる。
【００１７】
請求項４に係る本発明のデータ出力装置は、請求項１または２において、前記データ出力装置をネットワークに接続するネットワーク接続手段を備え、前記データ記憶手段が、前記ネットワークを介して取得された前記対象情報のデータを記憶する構成を有している。
【００１８】
この構成により、ネットワークを介して出力対象情報のデータを取得できるので、データ出力装置の記憶部が増大することを抑制し、前記記憶部を効率的に運用できることとなる。
【００１９】
請求項５に係る本発明のデータ出力装置は、請求項１乃至４のいずれかにおいて、前記データ記憶手段が、前記対象情報に関連する関連情報のデータを記憶し、前記指示入力手段が、前記関連情報のデータを出力するように指示情報を入力したとき、前記データ出力手段は、前記関連情報のデータを出力するようにした構成を有している。
【００２０】
この構成により、書籍などの出力対象情報に関連する関連情報を出力するので、使用者が書籍などのデータを取得するか否かを判断するのを支援することができる。
【００２１】
請求項６に係る本発明のデータ出力装置は、請求項１乃至５のいずれかにおいて、前記出力制御手段は、前記限定された一部に含まれるデータを出力するとき、出力するデータが出力許可されたものであることを示す許可情報を付加するようにした構成を有している。
【００２２】
この構成により、取得したデータが正当であることを示す許可情報を付加するので、データの不正出力を抑制すると共に、使用者が安心して取得データを使用できることとなる。
【００２３】
請求項７に係る本発明のデータ出力装置は、請求項１乃至６のいずれかにおいて、前記指示情報には、前記限定された一部を更新するための更新情報を含み、前記出力制御手段は、前記更新情報に応じて前記限定された一部を更新するようにした構成を有している。
【００２４】
この構成により、書籍などのデータの出力を指示する指示情報に、認証情報などの限定更新情報を付加し、この更新情報に応じて前記データの出力を許可する範囲を変更するので、管理情報のデータが付された記録媒体（書籍など）の部分情報を前記指示情報ごとに適切に管理し、データの出力サービスを多様化させることとなる。
【００２５】
請求項８に係る本発明のデータ出力装置は、請求項１乃至７のいずれかにおいて、前記データ記憶手段に記憶された前記対象情報のデータから、任意の検索情報のデータを含む部分を検索して出力するモードを設定するモード設定手段を備え、前記モードで、前記指示入力手段により任意の検索情報が入力されたとき、前記出力制御手段は、前記対象情報のデータから前記任意の検索情報のデータを含む部分を検索し、前記データ出力手段から出力させるようにした構成を有している。
【００２６】
この構成により、モードを設定するだけで、キーワードなどの検索情報を含む頁を検索して出力するので、例えば、使用者の所望の記事が載っている頁だけを検索して印刷できることとなる。よって、使用者の利便性が向上する。
【００２７】
請求項９に係る本発明の記録媒体は、コンピュータに、出力の対象となる対象情報のデータの一部又は全部を出力するように指示する第１のステップと、前記対象情報が記録された第１の記録媒体に付され、前記対象情報のデータの出力を管理するための管理情報のデータが記録された第２の記録媒体から、前記管理情報のデータを読み取る第２のステップと、第２のステップで取得された前記管理情報により、前記対象情報のデータの限定された一部が出力許可されている場合に、第１のステップで指示された前記対象情報のデータの一部又は全部のうち、前記限定された一部に含まれるデータを出力する第３のステップとを実行させるプログラムを記録している。
【００２８】
この記録媒体により、前述したように例えば「ＩＤ番号」、「印刷可能な頁番号」などの管理情報のデータが付された記録媒体（書籍など）の部分情報を適切に管理できるデータ出力装置を実現できることとなる。
【００２９】
請求項１０に係る本発明のプログラムは、コンピュータに、出力の対象となる対象情報のデータの一部又は全部を出力するように指示する第１のステップと、前記対象情報が記録された第１の記録媒体に付され、前記対象情報のデータの出力を管理するための管理情報のデータが記録された第２の記録媒体から、前記管理情報のデータを読み取る第２のステップと、第２のステップで取得された前記管理情報により、前記対象情報のデータの限定された一部が出力許可されている場合に、第１のステップで指示された前記対象情報のデータの一部又は全部のうち、前記限定された一部に含まれるデータを出力する第３のステップとを実行させている。
【００３０】
このプログラムにより、前述したように例えば「ＩＤ番号」、「印刷可能な頁番号」などの管理情報のデータが付された記録媒体（書籍など）の部分情報を適切に管理できるデータ出力装置を実現できることとなる。
【００３１】
【発明の実施の形態】
以下、本発明の実施の形態について、図面を用いて説明する。
［第１の実施形態］
図１は、本発明の第１の実施形態に係るディジタル複写機（「データ出力装置」に含まれる）の構成を示す。
【００３２】
ディジタル複写機８０において、コンタクトガラス上の原稿セット部８０１には、ブック原稿９００（図３に示す）などの画像読取対象が、画像面を下向きにして載置される。操作表示部８０２（「指示入力手段」に含まれる）は、液晶ディスプレイ８０２ａなどの表示器、及びテンキー８０２ｂ、スタート／ストップキー、ファンクションキー、Ｙｅｓ／Ｎｏキー、カーソルキー、各種モード設定キーなどのキー類を備え、使用者が、ディジタル複写機８０の操作情報、後述する出力指示のための指示情報などを入力するために用いるものである。スキャナ部８０３は、コンタクトガラス上に載置された原稿を押えるための圧板８０６を具備し、シート原稿やブック原稿（図３の書籍９００に相当する）などの画像を読み取り、制御部９０（図２に示す）のメインメモリ又は記憶部８９のバッファメモリへ格納するものである。また、圧板８０６は、スキャナ部８０３上部にヒンジなどの連結部材で開閉可能に連結され、コンタクトガラス上の原稿を押えると共に、その底面が画像読み取り時の白色基準として用いられるものである。圧板開閉センサ８０８は、圧板８０６の開閉状態を検知するものである。また、圧板開閉センサ８０８の検知情報は制御部９０へ送られる。ＩＣリーダ８０７（「管理情報読取手段」、「識別情報読取手段」に含まれる）は、コンタクトガラス上に載置されたブック原稿に付された、ＩＣチップ９０１ａ（図３に示す）に記録された管理情報のデータを読み取るものである。また、ＩＣリーダ８０７が読み取った管理情報は、制御部９０へ送信するようにしている。前記管理情報には、書籍に付与された「ＩＤ番号」、「印刷可能な頁番号」が含まれている。プリンタ部８０４（「データ出力手段」に含まれる）は、スキャナ部８０３から入力された原画像、圧縮画像あるいは記憶部８９（図２に示す）に記憶されている書籍画像（ブック原稿を電子化したもの）などを印刷用紙（記録紙に相当する）に印刷するものである。給紙部８０５は、プリンタ部８０４へ印刷用紙を給送するものである。
【００３３】
図２は、ディジタル複写機８０の制御系を示す。
【００３４】
この制御系において、制御部９０（「出力制御手段」に含まれる）は、マイクロコンピュータなどで構成され、マイクロプロセッサ（以下、ＭＰＵという）、メインメモリを有している。ＭＰＵは、装置全体を制御し、本実施形態の出力制御機能を実現するものである。また、ＭＰＵは、ブック原稿に記された頁数の数字をスキャナ部８０１で読み取って文字認識するために文字認識（ＯＣＲ）機能を有している。メインメモリは、ＲＯＭやＲＡＭなどで構成され、ＭＰＵの制御プログラムを記憶すると共に、この制御プログラムがＭＰＵによって実行されるときにー時的に作成される情報などを保持するものである。
【００３５】
また、制御部９０には、圧板開閉検知部８８（圧板開閉センサ８０８に相当する）、記憶部８９（「データ記憶手段」に含まれる）、原稿セット部８０１、ＩＣ読取部８７（ＩＣリーダ８０７に相当する）、操作部８２ｂ（テンキー８０２ｂなどのキー類を含む）、表示部８２ａ（液晶ディスプレイ８０２ａを含む）、プリンタ部８０４などが接続され、また、前述した各部８２ａ、８２ｂ、８７、８８、８０１、８０４の機構を駆動する駆動部（例えば、ステッピングモータ、ソレノイドなど）が接続されている。さらに、制御部９０は、圧板開閉検知部８８などのセンサ類からの検知情報、原稿セット部８０１、プリンタ部８０４、ＩＣ読取部８７などの状態情報、操作部８２ｂからの入力情報を受け取り、これらの情報により前記駆動部を駆動制御するようにしている。
【００３６】
記憶部８９は、ハードディスク・ドライブ、ハードディスクなどからなる記憶装置であり、このハードディスクは、入出力情報を一時保持するための「バッファメモリ」として用いられると共に、書籍の情報（記載内容）、書籍に関連する関連情報、書籍の情報を出力するときの出力制御に用いられる管理情報を含む電子データ（以下「データ」という）を書籍ごとに蓄積するための「保存用メモリ」として用いられるものである。ここでは、前記書籍のデータに、「頁画像データ」、「テキストデータ」、「サンプルデータ」を含み、前記関連情報のデータに、「書評データ」、「書誌データ」を含み、前記管理情報のデータには、「ＩＤ番号データ」、「書名データ」、「印刷可能な頁番号データ」、「使用者識別番号データ」、「ログデータ」を含むようにしている。
【００３７】
図３は、本実施形態で読み取り及び出力対象となるブック原稿を示す。
【００３８】
図３に示す書籍（ブック原稿）９００（「第１の記録媒体（記録紙に相当する）」に含まれる）の記載内容は予め電子化されており、書籍ごとのデータが記憶部８９に記憶されている。また、書籍９００の背表紙には、書名「○○○××」が記されると共に、公知の非接触読取型データキャリア「ＲＦＩＤ（Ｒａｄｉｏ  Ｆｒｅｑｕｅｎｃｙ  Ｉｄｅｎｔｉｆｉｃａｔｉｏｎ）」９０１が取り付けられている（特開２０００‐２４２７５４号公報、特開２００１‐１６０１１７号公報参照）。このＲＦＩＤ９０１は、データ記憶用のＩＣチップ９０１ａ（「第２の記録媒体」に含まれる）と通信用のアンテナ９０１ｂとを内蔵しており、このＩＣチップ９０１ａには、ディジタル複写機８０が書籍９００のデータの出力を管理するための管理情報のデータが記憶されている。また、書籍９００がコンタクトガラス上に載置された状態で、ＩＣリーダ８０７がアンテナ９０２ｂを介して前記管理情報を読み取るようにしている。読み取られた前記管理情報は、制御部９０へ送られる。
【００３９】
次に、本実施形態に係る出力制御プログラムを説明する。この出力制御プログラムは、前記ＭＰＵ（コンピュータに含まれる）に、図４に示すステップを実行させるものである。ここでは、使用者がブック原稿９００の頁を捲って所望の頁（見開きの両頁）ごとに複写する場合を示す。
【００４０】
まず、ＭＰＵは、圧板８０６が開放されてコンタクトガラス上にブック原稿９００が載置され、さらに圧板８０６が閉じられたか否かを判断する（Ｓ１０１）。ここでは、圧板開閉センサ８０８の検知信号により、圧板８０６が閉状態から開状態へ移り、再び閉状態に移ったか否かを判断する。この判断が「ＹＥＳ」の場合はＳ１０２に移り、「ＮＯ」の場合には何の処理も行わない。
【００４１】
Ｓ１０２では、操作部８０２ｂのスタートキーが押下されたか否かを判断する。ここでは、操作部８０２ｂからスタートキー信号（スタート信号に相当する）が送られたか否かを判断する。この判断が「ＹＥＳ」の場合はＳ１０３に移り、「ＮＯ」の場合には何の処理も行わない。
【００４２】
Ｓ１０３では、ＩＣリーダ８０７により、ブック原稿９００の背表紙に添付されたＩＣチップ９０１ａに記憶された管理情報のデータを非接触で読み取る。この管理情報は、制御部９０へ送られる。
【００４３】
次いで、ＭＰＵは、前記管理情報に含まれるブック原稿９００の「ＩＤ番号」により、記憶部８９を検索し（Ｓ１０４）、ＩＤ番号の一致するデータがあるか否かを判断する（Ｓ１０５）。この判断が「ＹＥＳ」の場合は、ＩＤ番号の一致するデータを記憶部８９から読み出す（Ｓ１０６）。また、「ＮＯ」の場合には、Ｓ１１３に移る。
【００４４】
次いで、ＭＰＵは、原稿セット部８０１によりブック原稿９００の開かれている両頁を読み取らせ、この頁画像から頁番号（複写頁の頁番号）を検出する（Ｓ１０７）。ここでは、ブック原稿９００の頁の所定位置（例えば、「下段中央」など）に独立した文字がある場合に、この文字を前述の文字認識機能により認識するようにしている。
【００４５】
次いで、ＭＰＵは、前記複写頁のデータを出力することが、前記管理情報による複写条件を満足するか否かを判断する（Ｓ１０８）。ここでは、前記管理情報に含まれる「印刷可能な頁番号」の範囲に、前記複写頁（両頁）の頁番号が含まれるか否かを判断する。この判断が「ＹＥＳ」の場合はＳ１０９に移り、「ＮＯ」の場合にはＳ１１０に移る。
【００４６】
Ｓ１０９では、ＭＰＵが、Ｓ１０６で読み取られた書籍９００のデータから前記複写頁のデータを抽出し、印刷データとしてプリンタ部８０４に送り、出力を指示する。この指示タイミングにより、給紙部８０５からプリンタ部８０４へ所定サイズの印刷用紙が給送される。プリンタ部８０４は、前記複写頁のデータを給紙部８０５からの印刷用紙に出力する。
【００４７】
Ｓ１１０では、さらに前記複写頁（両頁）のいずれかのデータを出力することが、前記管理情報による複写条件を満足するか否かを判断する。ここでは、前記管理情報に含まれる「印刷可能な頁番号」の範囲に、前記複写頁（両頁）の頁番号のいずれかが含まれるか否かを判断する。この判断が「ＹＥＳ」の場合はＳ１１１に移り、「ＮＯ」の場合にはＳ１１３に移る。
【００４８】
Ｓ１１１では、Ｓ１０７で検出された複写頁の頁番号と前記「印刷可能な頁番号」との論理積演算を行い、前記「印刷可能な頁番号」の範囲に含まれる前記複写頁（両頁のいずれか一方）のデータを印刷用紙に出力する。このときの処理手順はＳ１０９に準じる。
【００４９】
Ｓ１１２では、「メッセージ」を液晶ディスプレイ８０２ａに表示する。ここでは、「複写頁のデータの一部が「印刷可能な頁番号」の範囲に含まれていないために、前記複写頁のうちの印刷可能な頁のみを印刷した旨」を表示する。
【００５０】
Ｓ１１３では、「エラーメッセージ」を液晶ディスプレイ８０２ａに表示する。ここでは、「ブック原稿９００のデータが記憶部８９に蓄積されていない旨」を表示する。
【００５１】
Ｓ１１４では、「エラーメッセージ」を液晶ディスプレイ８０２ａに表示する。ここでは、「複写頁のデータの全部が「印刷可能な頁番号」の範囲に含まれていないために印刷できない旨」を表示する。ここで、所定の追加料金を支払うか、プリペイドカードによる支払精算を行うと、印刷可能となるようにしてもよい。
【００５２】
なお、Ｓ１０１、Ｓ１０２が「第１のステップ」に含まれる。また、Ｓ１０３が「第２のステップ」に含まれる。また、Ｓ１１０、Ｓ１１１が「第３のステップ」に含まれる。
【００５３】
以上のように、本発明の第１の実施形態に係るディジタル複写機８０（「データ出力装置」に含まれる）は、書籍９００のデータを管理する管理情報をＩＣチップ９０１ａからＩＣ読取部８７で読み取り、前記管理情報の「印刷可能な頁番号」と複写を指示された頁とを比較して、印刷可能な頁のみを出力しているので、ＩＤ付記録媒体（書籍など）の部分情報を適切に管理できる。また、印刷が許可されていない頁の違法複写を防止できる。また、記憶部８９に蓄積されたデータを用いて印刷するので、書籍を直接複写する場合に比べ、歪み、ごみ跡、スキューなどがなくなり、より鮮明に複写できる。
【００５４】
なお、上述した実施形態ではブック原稿９００の背表紙にＲＦＩＤ９０１を貼付した場合について説明したが、本発明はこのほかに、ＣＤ、ＤＶＤなどの包装容器にＲＦＩＤを付けても同様の効果が得られるものである。なお、ＲＦＩＤ又はＩＣチップの数は、一つに限らず、複数としてもよい。
【００５５】
また、上述した実施形態では管理情報として「ＩＤ番号」、「印刷可能な頁番号」を用いた場合について説明したが、本発明はこのほかに、「書名」、「書籍の全頁数」、「印刷不可能な頁番号」、「書評」、「サンプル画像」、「著作権情報（著作者、著作権者）」などを用いても同様の効果が得られるものである。すなわち、管理情報により、ＩＣチップが付される書籍のデータ出力の可否を判断できれば特に限定する必要はない。
【００５６】
また、上述した実施形態ではＩＣリーダ８０７を原稿セット部８０１の上部に装着した場合について説明したが、本発明はこのほかに、ＩＣリーダ８０７を装置内部（例えば、コンタクトガラスの下方）や装置筐体の外部に装着した場合、あるいは装置に設けられたＵＳＢなどのインタフェースを通じて接続した場合についても同様の効果が得られるものである。
【００５７】
また、上述した実施形態ではコンタクトガラス上にブック原稿９００が載置され、圧板８０６が閉じられたときに、ＩＣリーダ８０７が駆動するようにした場合について説明したが、本発明はこのほかに、圧板８０６が開放されたとき、あるいは赤外線センサなどにより、操作表示部８０２に対面した人体を検知したときに、ＩＣリーダ８０７が駆動するようにした場合についても同様の効果が得られるものである。
【００５８】
また、上述した実施形態では書籍９００のデータを管理情報のデータと対応づけ、記憶部８９のハードディスクに記憶した場合について説明したが、本発明はこのほかに、書籍９００のデータを管理情報のデータと対応づけて外部のサーバに蓄積しても同様の効果が得られるものである。この場合は、ディジタル複写機８０をネットワークに接続するネットワーク接続装置（「ネットワーク接続手段」に含まれる）を設け、前記管理情報により前記外部のサーバから記憶部８９に当該データをダウンロードすることになる。
【００５９】
また、上述した実施形態では１回の読み取り動作ごと（見開きの両頁ごと）に、データの出力可否を判断するようにした場合について説明したが、本発明はこのほかに、一つのブック原稿についての読み取り動作が終了したときに、前記ブック原稿のデータの出力可否を判断し、出力可能な頁のデータを出力するようにしても同様の効果が得られるものである。この場合は、１回の読み取り動作ごとに次の読み取り動作があるか否かを判断する必要がある。例えば、液晶ディスプレイ８０２ａに「次に読み取る頁はありますか？」とのメッセージ表示を行い、使用者のキー操作によって判断するようにしてもよい。
【００６０】
また、上述した実施形態では操作表示部８０２の出力指示で、プリンタ部８０４による印刷を指示する場合について説明したが、本発明はこのほかに、操作表示部８０２によって他の出力形態（「液晶ディスプレイ８０２ａによる画面表示」、「記録媒体へのデータ保存」）を指示できるようにしても同様の効果が得られるものである。
【００６１】
また、上述した実施形態では書籍９００の管理情報により、「印刷可能な頁番号」の頁のデータを出力許可する場合について説明したが、本発明はこのほかに、書籍の複写要求が「所定の頁数」又は「所定のデータ量」以下の場合に出力許可するようにしても同様の効果が得られるものである。また、「所定の段落」又は「所定の文章」の出力のみを不許可とするようにしてもよい。ここで、出力が不許可とされた段落又は文章が複写要求の指定頁にまたがる場合は、不許可部分の印刷データを「白画素データ」として印刷しないように制御することとなる。
【００６２】
また、上述した実施形態では「印刷可能な頁番号」の頁のデータのみを出力許可する場合について説明したが、本発明はこのほかに、前記管理情報により許可されたデータを出力するとき、出力するデータが出力許可されたものであることを示す許可情報を付加するようにしても同様の効果が得られるものである。例えば、複写用の記録媒体として印刷用紙を用いた場合は、この印刷用紙に「許可マーク」を印刷するようにしてもよい。また、複写用の記録媒体としてＣＤ‐ＲＯＭなどのメモリを用いた場合は、書籍９００のデータと「許可情報」とをリンクさせてもよい。この構成は、請求項６に係る発明の実施形態である。
【００６３】
また、上述した実施形態では操作表示部８０２から「複写」の指示を入力し、この指示とＩＣチップ９０１ａの管理情報（印刷可能な頁番号）により、データの出力範囲を限定する場合について説明したが、本発明はこのほかに、操作表示部８０２から指示入力される情報に例えば「使用者の認証情報（ＩＤカードのＩＤ番号、会員番号など）」を含み、この認証情報に応じてデータの出力許可範囲を変更するように出力制御しても同様の効果が得られるものである。この場合は、さらにデータの出力サービスを多様化させることができる。この構成は、請求項７に係る発明の実施形態であって、前記「使用者の認証情報」が「限定変更情報」に含まれる。
【００６４】
［第２の実施形態］
図５は、本発明の第２の実施形態に係るデータ出力装置を示す。これは、パーソナルコンピュータなどの汎用処理装置を用いて本発明のデータ出力装置を構成し、出力制御機能をソフトウェアによって実現したものである。なお、出力指示対象のブック原稿は、第１の実施形態と概ね同様であるため、図３を用いると共に、同一構成には同一符号を付与して説明を省略する。
【００６５】
データ出力装置１００において、中央処理装置（以下、ＣＰＵという）１２は、装置全体を制御し、本実施形態の出力制御機能を実現するものである。この出力制御機能には、使用者からの指示入力により外部記憶装置１６（「データ記憶手段」に含まれる）に蓄積された書籍のデータを読み出して出力するとき、予め設定された出力条件により、指示されたデータの全部又は一部を出力するように制御することが含まれる。ＲＯＭ１１及びＲＡＭ１３はメインメモリ（「出力制御手段」に含まれる）を構成し、ＣＰＵ１２（「出力制御手段」に含まれる）の制御プログラムを記憶するとともに、この制御プログラムがＣＰＵ１２によって実行されるときにー時的に作成される情報などを保持するものである。外部記憶装置１６は、ハードディスク・ドライブ及びハードディスクなどで構成されている。このハードディスクは、出力対象の書籍のデータ、この書籍に関連する関連情報（「書評」を含む）のデータ、前記書籍のデータの出力を管理するための管理情報のデータを書籍ごとに記憶するものである。この管理情報には、「ＩＤ番号」、「書名」、「書籍の全頁数」、「印刷可能な頁数」、「印刷可能な頁番号」、「印刷不可能な頁番号」、「書評」、「サンプル画像」、「著作権情報（著作者、著作権者）」などが含まれる。また、外部記憶装置１６は、入出力するデータを一時保持するための「バッファメモリ」として用いられる。ＣＲＴディスプレイ（「データ出力手段」に含まれる）１４は、使用者からの指示入力やデータ出力の可否、メッセージなどを表示するものである。ＣＤ‐ＲＯＭドライブ９は、プログラムやデータなどを記録したＣＤ‐ＲＯＭ１０を装着して読み込み、ＲＡＭ１３へ格納するのに用いられる。プリンタ２０（「データ出力手段」に含まれる）は、外部記憶装置１６に蓄積されたデータを電子写真方式で印刷するものである。ＣＤ‐ＲＯＭ１０（記録媒体に含まれる）には、本実施形態の出力制御機能や出力制御の処理手順を実現させるためのプログラムやデータなどが記録されている。キーボード１７、マウス（登録商標）１５は、データの出力指示やプリンタ２０の操作に関する情報の入力に用いられるものである。これらは、「指示入力手段」に含まれる。ＩＣリーダ１８（「識別情報読取手段」、「管理情報読取手段」に含まれる）は、書籍（ブック原稿）９００に付されたＩＣチップ９０１ａ（図３に示す）に記録された管理情報のデータを非接触で読み取るものである。この管理情報には、「ＩＤ番号」、「書名」が含まれている。また、ＩＣリーダ１８が読み取った管理情報を、ＣＰＵ１２へ送信するようにしている。前述した装置９〜１８、２０は、バス１９によって接続されている。
【００６６】
さらに、前述した記録媒体として、ＣＤ‐ＲＯＭ１０の他に、半導体媒体（例えば、ＲＯＭ、ＩＣメモリカードなど）、光媒体（例えば、ディジタル・バーサタイル・ディスク（ＤＶＤ）、光磁気ディスク（ＭＯ）、ミニディスク（ＭＤ）、書き込み可能なＣＤ（ＣＤ‐Ｒ）など）、磁気媒体（例えば、磁気テープ、フレキシブルディスク（ＦＤ）など）などを用いてもよい。
【００６７】
また、前述した記録媒体からインストールされたプログラム、換言すれば、前述した記録媒体に記憶されたプログラムとしては、本実施形態の出力制御機能を実現するために用いられる出力制御プログラムがある。ここでは、出力制御プログラムを予めＣＤ‐ＲＯＭ１０などの記録媒体に書き込んでおき、このＣＤ‐ＲＯＭ１０などをＣＤ‐ＲＯＭドライブ９などの媒体駆動装置に装着して読み込み、出力制御プログラムをＲＡＭ１３に格納し、ＣＰＵ１２が実行することによって、本実施形態の出力制御機能を実現するものである。さらに、出力制御プログラムが半導体の記録媒体に記録されている場合には、直接、ＲＡＭ１３ヘロードされ、実行されることとなる。
【００６８】
なお、ＲＡＭ１３へロードされた出力制御プログラムを実行することにより、本実施形態の出力制御機能が実現されるだけでなく、出力制御プログラムの指示に基づき、オペレーティングシステムなどが実際の処理の一部または全部を行い、その処理によって本実施形態の出力制御機能が実現されるようにした場合も本発明に含まれる。
【００６９】
図６は、本発明の第２の実施形態に係る出力制御プログラムを示す。この出力制御プログラムは、ＣＰＵ１２（コンピュータに含まれる）に、図６に示すステップを実行させるものである。ここでは、使用者が、ブック原稿９００をＩＣリーダ１８の読み取り可能範囲に置くと共に、複写所望の頁（指定頁）の頁番号又は頁番号の範囲をマウス１５又はキーボード１７から入力して複写する場合を示す。
【００７０】
まず、ＣＰＵ１２は、キーボード１７又はマウス１５の操作で書籍９００の複写が指示入力されたか否かを判断する（Ｓ１９６）。ここでは、ＣＲＴディスプレイ１４に表示されたメニュー（後述する図１１の「図書サービス」に相当する）から「複写」が選択されたか否かを判断する。この判断が「ＹＥＳ」の場合はＳ１９７に移り、「ＮＯ」の場合にはＳ２１１に移る。
【００７１】
Ｓ１９７では、ＩＣリーダ８０７の駆動を開始し、ＩＣリーダ８０７の読み取り可能範囲に書籍９００が置かれると、ブック原稿９００の背表紙に添付されたＩＣチップ９０１ａに記憶された管理情報のデータを非接触で読み取る。この管理情報には、書籍９００の「ＩＤ番号」と「書名」とが含まれる。読み取られた管理情報は、ＣＰＵ１２へ送られる。
【００７２】
次いで、ＣＰＵ１２は、前記管理情報に含まれるブック原稿９００のＩＤ番号により、外部記憶装置１６のハードディスクを検索し（Ｓ１９８）、ＩＤ番号の一致するデータがあるか否かを判断する（Ｓ１９９）。この判断が「ＹＥＳ」の場合は、ＩＤ番号の一致する書籍、この書籍に関連する関連情報（「書評」を含む）、この書籍の管理情報などのデータを外部記憶装置１６から読み出す（Ｓ２００）。また、「ＮＯ」の場合には、Ｓ２１０に移る。
【００７３】
次いで、ＣＰＵ１２は、マウス１５又はキーボード１７により「複写」が指示入力されたとき、出力する頁番号の指定があったか否かを判断する（Ｓ２０１）。この判断が「ＹＥＳ」の場合は、Ｓ２０２に移り、「ＮＯ」の場合には、Ｓ２０４に移る。なお、出力する頁番号の指定は、Ｓ１９６で判断された「複写」の指示と共に行われるようにしている。
【００７４】
Ｓ２０２では、指定された頁番号のデータを出力することが、前記管理情報による複写条件を満足するか否かを判断する。ここでは、前記管理情報に含まれる「印刷可能な頁番号」の範囲に、前記指定された頁番号が含まれるか否かを判断する。この判断が「ＹＥＳ」の場合はＳ２０３に移り、「ＮＯ」の場合にはＳ２０６に移る。
【００７５】
Ｓ２０３では、ＣＰＵ１２が、Ｓ２００で読み取られた書籍９００のデータから前記指定された頁番号に対応するデータを抽出し、印刷データとしてプリンタ２０に送り、出力を指示する。プリンタ２０は、指定頁のデータを印刷用紙に出力する。
【００７６】
Ｓ２０６では、さらに指定頁のいずれかのデータを出力することが、前記管理情報による複写条件を満足するか否かを判断する。ここでは、前記管理情報に含まれる「印刷可能な頁番号」の範囲に、前記指定された頁番号のいずれかが含まれるか否かを判断する。この判断が「ＹＥＳ」の場合はＳ２０８に移り、「ＮＯ」の場合にはＳ２０７に移る。
【００７７】
Ｓ２１０では、「エラーメッセージ」をＣＲＴディスプレイ１４に表示する。ここでは、前記管理情報に含まれる「印刷可能な頁番号」の範囲に、前記指定された頁番号のいずれも含まれていないために、「指定された頁番号に対応するデータを出力できない旨」を表示する。
【００７８】
Ｓ２０８では、使用者がキーボード１７などで指定した複写頁の頁番号と、前記「印刷可能な頁番号」との論理積演算を行い、前記「印刷可能な頁番号」の範囲に含まれる指定頁のデータをプリンタ２０で印刷用紙に出力する。
【００７９】
Ｓ２０９では、「エラーメッセージ」をＣＲＴディスプレイ１４に表示する。例えば、書籍９００が全部で１００頁からなり、「１〜５頁」の複写が許可されている場合に、使用者がキーボード１７を用いて「１〜６頁」の複写を指示すると、「１〜５頁」だけが印刷され、「６頁」は印刷できない旨が表示される。具体的には「この書籍の第６頁には著作権があり、無断で複写することはできません。著作権者に対する問合せは、「ＴＥＬ：○○‐△△△‐○○○○」までお願いします。」のように表示する。
【００８０】
Ｓ２１０では、「エラーメッセージ」をＣＲＴディスプレイ１４に表示する。ここでは、「書籍９００のデータが外部記憶装置１６に蓄積されていない旨」を表示する。
【００８１】
また、Ｓ２０１の判断が「ＮＯ」の場合、ＣＰＵ１２は、書籍９００の全頁を出力することが指示されたと判断し、Ｓ２０４で、書籍９００の全頁のデータを出力することが、前記管理情報による複写条件を満足するか否かを判断する。この判断が「ＹＥＳ」の場合は、Ｓ２０５へ移り、「ＮＯ」の場合には、Ｓ２１３へ移る。Ｓ２０５では、プリンタ２０により、書籍９００の全頁のデータを出力する。ここでは、オンデマンドで外部記憶装置１６から書籍９００のデータをダウンロードすることになるので、印刷用紙をプリンタ２０で製本処理するようにしている。なお、期間満了により著作権が無効となっている書籍のデータをデータ出力装置１００外部のサーバなどに蓄積しておき、書籍９００の管理情報により、ネットワークを介して前記サーバからダウンロードするようにしてもよい。
【００８２】
Ｓ２１３では、さらに書籍９００の全頁について出力が不許可であるか否かを判断する。この判断が「ＹＥＳ」の場合は、Ｓ２１４へ移り、「ＮＯ」の場合には、Ｓ２０８へ移る。
【００８３】
Ｓ２１４では、「エラーメッセージ」をＣＲＴディスプレイ１４に表示する。ここでは、「書籍９００のデータの出力が禁止されている旨」を表示する。さらにＳ２１４で、前記表示に加え、ＣＰＵ１２が装置動作を停止するようにしてもよい。また、ＣＰＵ１２がログを取得しておくことが好ましい。なお、Ｓ２０８では、前記「印刷可能な頁番号」のデータを全て出力する。
【００８４】
また、Ｓ１９６の判断が「ＮＯ」の場合、ＣＰＵ１２は、書籍９００のデータの出力指示ではないと判断し、Ｓ２１１で、さらに書籍９００の関連情報の出力指示であるか否かを判断する。ここでは、キーボード１７又はマウス１５の操作で関連情報の出力指示が入力されたか否かを判断する。この「ＹＥＳ」の場合は、Ｓ２１２へ移り、「ＮＯ」の場合には、何の処理も行わない。
【００８５】
Ｓ２１２では、プリンタ２０により、書籍９００の関連情報のデータを出力する。この関連情報には、書籍９００の「書評」、「出版社名」、「販売実績（例えば、書店ランキング、発行部数、版数など）」が含まれている。
【００８６】
なお、Ｓ１９６が「第１のステップ」に含まれる。また、Ｓ１９７が「第２のステップ」に含まれる。また、Ｓ２０６、Ｓ２０８が「第３のステップ」に含まれる。
【００８７】
以上のように、本発明の第２の実施形態に係るデータ出力装置１００は、書籍９００のデータを管理する管理情報をＩＣチップ９０１ａからＩＣリーダ１８で読み取り、前記管理情報の「ＩＤ番号」又は「書名」と一致するものが外部記憶装置１６にある場合は、この外部記憶装置１６に記憶された書籍９００の管理情報の「印刷可能な頁番号」と複写を指示された頁とを比較して、印刷可能な頁のみを出力しているので、ＩＤ付記録媒体（書籍など）の部分情報を適切に管理できる。また、印刷が許可されていない頁の違法複写を防止できる。また、外部記憶装置１６に蓄積されたデータを用いて印刷するので、書籍を直接複写する場合に比べ、歪み、ごみ跡、スキューなどがなくなり、より鮮明に複写できる。
【００８８】
なお、上述した実施形態ではブック原稿９００の背表紙にＲＦＩＤ９０１を貼付した場合について説明したが、本発明はこのほかに、ＣＤ、ＤＶＤなどの包装容器にＲＦＩＤを付けても同様の効果が得られるものである。なお、ＲＦＩＤ又はＩＣチップの数は、一つに限らず、複数としてもよい。
【００８９】
また、上述した実施形態では管理情報として「ＩＤ番号」、「印刷可能な頁番号」を用いた場合について説明したが、本発明はこのほかに、「書名」、「書籍の全頁数」、「印刷不可能な頁番号」、「書評」、「サンプル画像」、「著作権情報（著作者、著作権者）」などを用いても同様の効果が得られるものである。すなわち、管理情報により、ＩＣチップが付される書籍のデータ出力の可否を判断できれば特に限定する必要はない。
【００９０】
また、上述した実施形態では書籍９００のデータを管理情報のデータと対応づけ、記憶部８９のハードディスクに記憶した場合について説明したが、本発明はこのほかに、書籍９００のデータを管理情報のデータと対応づけて外部のサーバに蓄積しても同様の効果が得られるものである。この場合は、データ出力装置１００をネットワークに接続するネットワーク接続装置（「ネットワーク接続手段」に含まれる）を設け、前記管理情報により前記外部のサーバから記憶部８９に当該データをダウンロードすることになる。
【００９１】
また、上述した実施形態ではキーボード１７などの出力指示で、プリンタ２０による印刷を指示する場合について説明したが、本発明はこのほかに、キーボード１７などによる出力指示（指示情報に相当する）に、出力形態（「プリンタ２０による印刷」、「ＣＲＴディスプレイ１４による画面表示」、「記録媒体へのデータ保存」など）の指示も含むようにした場合も同様の効果が得られるものである。例えば、ＣＤ‐ＲＯＭに対するデータ保存を指示した場合は、ＣＤ‐ＲＯＭドライブ９にデータ保存用のＣＤ‐ＲＯＭを装着し、外部記憶装置１６から読み出された書籍９００のデータを前記ＣＤ‐ＲＯＭへ記録する。
【００９２】
また、上述した実施形態では書籍９００の管理情報により、「印刷可能な頁番号」の頁のデータを出力許可する場合について説明したが、本発明はこのほかに、書籍の複写要求が「所定の頁数」又は「所定のデータ量」以下の場合に出力許可するようにしても同様の効果が得られるものである。また、「所定の段落」又は「所定の文章」の出力のみを不許可とするようにしてもよい。ここで、出力が不許可とされた段落又は文章が複写要求の指定頁にまたがる場合は、不許可部分の印刷データを「白画素データ」として印刷しないように制御することとなる。
【００９３】
また、上述した実施形態では「印刷可能な頁番号」の頁のデータのみを出力許可する場合について説明したが、本発明はこのほかに、前記管理情報により許可されたデータを出力するとき、出力するデータが出力許可されたものであることを示す「許可情報」を付加するようにしても同様の効果が得られるものである。例えば、複写用の記録媒体として印刷用紙を用いた場合は、この印刷用紙に「許可マーク」を印刷するようにしてもよい。また、複写用の記録媒体としてＣＤ‐ＲＯＭなどのメモリを用いた場合は、書籍９００のデータと「許可情報」とをリンクさせてもよい。この構成は、請求項６に係る発明の実施形態である。
【００９４】
また、上述した実施形態ではキーボード１７などから「複写」の指示を入力し、この指示とＩＣチップ９０１ａの管理情報（印刷可能な頁番号）により、データの出力範囲を限定する場合について説明したが、本発明はこのほかに、キーボード１７などから指示入力される情報に例えば「使用者の認証情報（ＩＤカードのＩＤ番号、会員番号など）」を含み、この認証情報に応じてデータの出力許可範囲を変更するように出力制御しても同様の効果が得られるものである。この場合は、さらにデータの出力サービスを多様化させることができる。例えば、会員の場合は通常よりも詳しいサンプルを見ることができるようにしてもよい。あるいは年齢に応じて所定の書籍を閲覧することを禁止するようにしてもよい。前述した構成は、請求項７に係る発明の実施形態であって、前記「使用者の認証情報」が「更新情報」に含まれる。なお、所定の追加料金を支払うか、プリペイドカードによる支払精算を行うと、出力許可範囲が広がるように変更する構成としてもよい。
【００９５】
また、上述した実施形態ではＩＣリーダ１８で読み取られたＩＣチップ９０１ａの「書名」により、所望の書名の書籍９００を検索して報知する場合について説明したが、本発明はこのほかに、キーボード１７などから「任意の検索情報（キーワードなど）」を指定し、このキーワードによって外部記憶装置１６のデータを検索し、前記キーワードを含む頁を検出して、該当頁を有する書籍の書名、出力の可否情報をＣＲＴディスプレイ１４に表示させるか、あるいはプリンタ２０に印刷データを送信して印刷させるようにしても同様の効果が得られるものである。この場合、該当する書籍の書名リスト及び出力可能な頁を表示するか、出力可能な頁を有する書籍の書名に「マーク」を付してリスト表示するようにしてもよい。
【００９６】
また、上述した実施形態では複写対象として所望の書籍を指定する場合について説明したが、本発明はこのほかに、「任意の検索情報（キーワードなど）を含む頁」を指定しても同様の効果が得られるものである。例えば、外部記憶装置１６に記憶されたデータから前記キーワードを含む頁を検索して出力する「モード」をキーボード１７などから入力してＲＡＭ１３に設定し、ＣＰＵ１２は、前記キーワードが指定されたとき、前記データから前記キーワードを含む頁を検索し、プリンタ２０に前記頁の印刷データを送信して出力させるようにしてもよい。この構成は、請求項８に係る発明の実施形態であって、マウス（登録商標）１５、キーボード１７、ＣＰＵ１２が「モード設定手段」に含まれる。
【００９７】
［第３の実施形態］
図７は、本発明の第３の実施形態に係るデータ出力システムを示す。ここでは、携帯端末１００ａ、１００ｂのＩＣ読取機能により、図書館などの書棚に収納されている複数の書籍９００から所望のものを検索する場合を示す。また、前記複数の書籍９００のいずれかの書名リストを表示し、表示された書名リストから所望の書籍が選択されると、選択された書籍の書評を画面に表示する場合を示す。なお、出力対象の書籍（ブック原稿）９００は、第１の実施形態と概ね同様であるため、図３を用いると共に、同一構成には同一符号を付与して説明を省略する。
【００９８】
図７に示すデータ出力システム２００において、携帯電話機１００ａ及びＰＤＡ（Ｐｅｒｓｏｎａｌ  Ｄｉｇｉｔａｌ  Ａｓｓｉｓｔａｎｔ）１００ｂは、ＩＣリーダを内蔵した携帯通信端末（図８の１００に相当する）であり、中継局６００を介してネットワーク５００上のＷＷＷ（Ｗｏｒｌｄ  Ｗｉｄｅ  Ｗｅｂ）サーバ（以下、「ウェブサーバ」という）と通信するものである。書籍サーバ３００ａは、出力対象の書籍（ここでは、著作権期間が満了したもの）のデータ、それぞれの書籍に関連する関連情報（「書評」を含む）、書籍のデータの出力を管理するための管理情報（「ＩＤ番号」、「書名」を含む）のデータなどを記憶部３０４（図９に示す）に蓄積し、携帯通信端末１００からの要求に応じて、書籍又は関連情報の印刷データを管理サーバ４００に送信するウェブサーバである。また、書籍サーバ３００ａは、中継局６００及びネットワーク５００を介して携帯通信端末１００と通信すると共に、ネットワーク５００上の他のウェブサーバと通信するものである。書店サーバ３００ｂは、それぞれの書籍の売上情報（書店ランキング）、在庫情報、出版元の情報（重版待ち、休刊中、絶版など）、同一著者による関連書籍の情報、通販の情報などをデータとして記憶部３０４（図９に示す）に蓄積しているウェブサーバであり、携帯通信端末１００からの要求に応じて書籍別の販売情報を提供するサイトとしている。管理サーバ４００は、出力対象の書籍（ここでは、著作権期間が満了したものを除く）のデータ、それぞれの書籍に関連する関連情報（「書評」を含む）、書籍のデータの出力を管理するための管理情報（「ＩＤ番号」、「書名」、「印刷可能な頁番号」を含む）のデータなどを記憶部４０４（図１０に示す）に蓄積し、携帯通信端末１００からの要求に応じて、書籍の印刷データをプリンタ４５０に送信し、書籍の関連情報を携帯通信端末１００に送信するウェブサーバである。また、管理サーバ４００は、中継局６００及びネットワーク５００を介して携帯通信端末１００と通信すると共に、ネットワーク５００上の他のウェブサーバと通信するものである。プリンタ４５０は、管理サーバ４００から送られた印字データを出力するものであり、ネットワーク５００と接続するためのネットワーク接続部を有している。ネットワーク５００は、書籍サーバ３００ａ、書店サーバ３００ｂ、管理サーバ４００、プリンタ４５０を互いに接続して、通信するための通信網である。
【００９９】
なお、書籍サーバ３００ａ、書店サーバ３００ｂ、管理サーバ４００を含むサーバ間の通信には、ＨＴＴＰ（Ｈｙｐｅｒ  Ｔｅｘｔ  Ｔｒａｎｓｆｅｒ  Ｐｒｏｔｏｃｏｌ）上でＳＯＡＰ（Ｓｉｍｐｌｅ  Ｏｂｊｅｃｔ  Ａｃｃｅｓｓ  Ｐｒｏｔｏｃｏｌ）を用いて通信する。もちろん、ＨＴＴＰを用いず、他のプロトコルを用いてもよいが、インターネット上でＨＴＴＰは、通常使用されるプロトコルなので、セキュリティの厳しいサイトでも使用される場合が多く、都合がよい。また、ＳＯＡＰを用いず、他のプロトコルを用いてもよいが、ＳＯＡＰは、他のサーバ上のウェブサービスを利用するには利用しやすいプロトコルなので好都合である。
【０１００】
図８は、携帯通信端末１００の構成を示す。この構成は、携帯電話機１００ａ、ＰＤＡ１００ｂに共通している。
【０１０１】
携帯通信端末１００の通信部１０１は、ネットワーク５００上に接続された装置と通信するものである。表示部１０２は、「図書サービス」メニュー、書籍の書名リスト、書評の画情報、書籍の出力範囲を選択又は設定するための画情報などを表示するものである。操作部１０３（「指示入力手段」、「モード設定手段」に含まれる）は、使用者が操作するためのものである。特に、操作部１０３は、使用者が、図書サービスメニューから所望のサービスを選択する操作、管理サーバ４００又は書籍サーバ３００ａに蓄積された書籍又は関連情報のデータの中から出力対象を選択する操作、書籍の出力範囲を選択又は設定する操作を行うために用いられ、また使用者による操作を受け付けるようにしている。記憶部１０４は、ＩＣ読取部１０８でＩＣチップ９０１ａから読み取られた「書名」、管理サーバ４００からの「書評」などの情報、操作部１０３の操作で入力された検索情報（「キーワード」など）、書評要求の情報、複写要求の情報、その他操作に必要な情報を記憶するものである。また、記憶部１０４は、書籍の出力要求に対する受付通知情報（「受付番号」など）を記憶するものである。この受付通知情報は、操作部１０３の操作で表示部１０２に表示するようにしている。音声入力部１０６は、音声情報を送信するときに使用者が用いるものである。音声出力部１０７は、「検索サービス」による検索結果を音声出力して報知するときなどに用いられるものである。ＩＣ読取部１０８（「管理情報読取手段」、「識別情報読取手段」に含まれる）は、ＩＣリーダからなり、書籍９００に付されたＩＣチップ９０１ａに記憶された管理情報（「ＩＤ番号」、「書名」を含む）を読み取るためのものである。制御部１０５（「モード設定手段」に含まれる）は、携帯端末１００の各部を制御するものである。また、制御部１０５は、操作部１０３の操作により後述の「検索サービス」を提供する「検索モード」、「書評サービス」を提供する「書評モード」、「複写サービス」を提供する「複写モード」のいずれかを設定するようにしている。
【０１０２】
図９は、ウェブサーバ３００の構成を示す。この構成は、書籍サーバ３００ａ、書店サーバ３００ｂに共通している。
【０１０３】
ウェブサーバ３００の通信部３０１は、ネットワーク５００上に接続された装置（管理サーバ４００、中継装置６００を含む）と通信するものである。表示部３０２は、情報を表示するものである。操作部３０３は、使用者が操作するものである。記憶部３０４（「データ記憶手段」に含まれる）は、各種の情報（前述したデータを含む）が記憶及び管理されるデータベースである。制御部３０５（「出力制御手段」に含まれる）は、ウェブサーバ３００の各部を制御するものである。
【０１０４】
図１０は、管理サーバ４００の構成を示す。
【０１０５】
管理サーバ４００の通信部４０１（「ネットワーク接続手段」に含まれる）は、携帯通信端末１００から書籍９００の書評要求、複写要求を取得し、記憶部４０４から読み出されるか、書籍サーバ３００ａから送信された、出力対象の書籍又は書評のデータを印刷データとしてプリンタ４５０（「データ出力手段」に含まれる）に送信するものである。また、通信部４０１は、携帯通信端末１００に対して「受付通知」を送信するものである。記憶部４０４（「データ記憶手段」に含まれる）は、書籍、書評などのデータを例えば「ＩＤ番号」と関連付けて記憶している。また、記憶部４０４は、記憶部４０４から読み出されたデータ、書籍サーバ３００ａから送信されたデータを携帯通信端末１００の表示データ又はプリンタ４５０の印刷データとして保持するためのバッファメモリとして用いられる。制御部４０５（「出力制御手段」に含まれる）は、管理サーバ４００の各部を制御してプリンタ４５０に書籍データを印刷させるものである。
【０１０６】
図１１は、本実施形態に係る「図書サービス」のメニュー画面を示す。
【０１０７】
この図書サービスは、携帯通信端末１００の操作部１０３の操作により、表示部１０２の画面にメニュー画面を表示し、「１．検索サービス」、「２．書評サービス」、「３．複写サービス」のいずれかが選択されると、制御部１０５が当該モードを記憶部１０４に設定し、当該サービスを実行するか、管理サーバ４００に対して当該サービスを要求し、当該サービスを受けるものである。
【０１０８】
図１２、図１３は、携帯通信端末１００における図書サービスプログラムを示す。この図書サービスプログラムは、携帯通信端末１００の制御部１０５（コンピュータに含まれる）に、図１２、図１３に示すステップを実行させるものである。
【０１０９】
図１２に示すように、まず、制御部１０５は、操作部１０３の操作で「検索モード」が設定されたか否かを判断する（Ｓ３０１）。この判断が「ＹＥＳ」の場合はＳ３０２に移り、「ＮＯ」の場合にはＳ３０６に移る。ここで、検索サービスとは、使用者が操作部１０３から検索情報を入力し、携帯通信端末１００を持って書棚付近を移動することにより、ＩＣ読取部１０８が所望の書籍９００のＩＣチップ９０１ａに記憶された管理情報を検出し、音声出力部１０７が報知するものである。
【０１１０】
Ｓ３０２では、所望の書籍があるか否かを検索するために用いる、検索情報が入力されたか否かを判断する。この判断が「ＹＥＳ」の場合はＳ３０３に移り、「ＮＯ」の場合にはＳ３０１に移る。ここでは、前記検索情報として、「書名」を含む任意の文字列（キーワードに相当する）を入力するようにしている。
【０１１１】
Ｓ３０３では、携帯通信端末１００の移動に伴い、ＩＣ読取部１０８が電波の受信範囲内で、書棚に収容された書籍９００のＩＣチップ９０１ａに記憶された管理情報を順次読み取る。
【０１１２】
次いで、制御部１０５は、Ｓ３０３で読み取られた管理情報に含まれる「書名」と、Ｓ３０２で入力された「文字列」とを比較し、この文字列が前記管理情報に含まれるか否かを判断する（Ｓ３０４）。この判断が「ＹＥＳ」の場合はＳ３０５に移り、「ＮＯ」の場合にはＳ３０１に移る。
【０１１３】
Ｓ３０５では、音声出力部１０７により「入力されたキーワードを含む書名の書籍が検出された旨」の音声メッセージを出力する。
【０１１４】
また、Ｓ３０１の判断が「ＮＯ」の場合、Ｓ３０６では、操作部１０３の操作で「書評モード」が設定されたか否かを判断する。この判断が「ＹＥＳ」の場合はＳ３０７に移り、「ＮＯ」の場合にはＳ３１１に移る。ここで、書評サービスとは、使用者による操作部１０３の操作で所望の書名が選択されると、所望の書籍９００の書評を表示部１０２の画面に表示するものである。
【０１１５】
Ｓ３０７では、使用者の移動に伴って携帯通信端末１００が移動することに伴い、ＩＣ読取部１０８が、書棚に収容された書籍９００のＩＣチップ９０１ａに記憶された管理情報を順次読み取る。読み取られた管理情報は、制御部１０５へ送られる。
【０１１６】
次いで、制御部１０５は、前記管理情報から「書名」を取り出して、所定の数の書名をまとめ、「書名リスト」を作成して表示部１０２の画面に表示させる（Ｓ３０８）。ここで画面表示された書名リストは、携帯通信端末１００の移動で順次切り替わるようにしている。
【０１１７】
次いで、制御部１０５は、Ｓ３０８で表示された書名リストから、操作部１０３の操作により「書名」のいずれかが選択されたか否かを判断する（Ｓ３０９）。この判断が「ＹＥＳ」の場合はＳ３１０に移り、「ＮＯ」の場合には何の処理も行わない。
【０１１８】
Ｓ３１０では、通信部１０１が、Ｓ３０９で選択された「書名」が付された書籍９００の「書評」を管理サーバ４００に対して要求する。この書評の要求には、「書名」、「ＩＤ番号」のいずれか又は両方が含まれている。
【０１１９】
また、Ｓ３０６の判断が「ＮＯ」の場合、Ｓ３１１では、操作部１０３の操作で「複写モード」が設定されたか否かを判断する。この判断が「ＹＥＳ」の場合はＳ３１２に移り、「ＮＯ」の場合には何の処理も行わない。ここで、複写サービスとは、使用者が操作部１０３から複写対象の書籍及び複写範囲を指定することにより、所望の書籍９００のデータをプリンタ４５０から出力するものである。
【０１２０】
Ｓ３１２では、操作部１０３の操作で複写対象の書籍９００が指定されたか否かを判断する。ここでは、書籍９００の「書名」、「ＩＤ番号」のいずれかが入力されたか否かを判断する。この判断が「ＹＥＳ」の場合はＳ３１３に移り、「ＮＯ」の場合には何の処理も行わない。
【０１２１】
Ｓ３１３では、操作部１０３の操作で複写対象の書籍９００の複写範囲が指定されたか否かを判断する。ここでは、書籍９００の「頁番号」により、複写範囲を指定するようにしている。この判断が「ＹＥＳ」の場合はＳ３１４に移り、「ＮＯ」の場合には何の処理も行わない。
【０１２２】
Ｓ３１４では、通信部１０１が、Ｓ３１２で指定された「書名」、「ＩＤ番号」のいずれか又は両方と、Ｓ３１３で指定された「頁番号」とを含む複写要求を、管理サーバ４００に対して送信する。
【０１２３】
この後、図１３に示すように、制御部１０５は、図１２のＳ３１０で要求した書評のデータ（書評データ）が、通信部１０１により受信されたか否かを判断する（Ｓ４０１）。この判断が「ＹＥＳ」の場合はＳ４０２に移り、「ＮＯ」の場合にはＳ４０５に移る。
【０１２４】
Ｓ４０２では、「書評モード」が制御部１０５により設定されているか否かを判断する。この判断が「ＹＥＳ」の場合はＳ４０３に移り、「ＮＯ」の場合にはＳ４０４に移る。
【０１２５】
Ｓ４０３では、Ｓ４０１で受信した書評データを表示部１０２の画面に表示する。この書評データは、管理サーバ４００から直接、又は管理サーバ４００を介して書籍サーバ３００ａから送信されたものである。また、前記書評データには、該当する書籍の販売情報を提供するサイトのアドレス（ここでは、ＵＲＬ）が含まれている。このＵＲＬ表示により、使用者が前記サイトへ問合せ、さらに出版社や書店のホーム頁を参照できるようにしている。
【０１２６】
Ｓ４０４では、Ｓ４０１で受信した書評データを記憶部１０４に保持する。ここで保持された書評データは、次に書評モードが設定されたときに表示するようにしている。
【０１２７】
また、Ｓ４０１の判断が「ＮＯ」の場合、Ｓ４０５では、通信部１０１により、管理サーバ４００からの「複写受付通知」又は「メッセージ」が受信されたか否かを判断する。この判断が「ＹＥＳ」の場合はＳ４０６に移り、「ＮＯ」の場合には何の処理も行わない。
【０１２８】
Ｓ４０６では、「複写モード」が制御部１０５により設定されているか否かを判断する。この判断が「ＹＥＳ」の場合はＳ４０７に移り、「ＮＯ」の場合にはＳ４０８に移る。
【０１２９】
Ｓ４０７では、Ｓ４０５で受信した「複写受付通知」又は「メッセージ」を表示部１０２の画面に表示する。この複写受付通知又はメッセージは、管理サーバ４００から送信されたものである。この複写受付通知には、使用者が印刷された書籍を受け取るときに提示するための「受付番号」が含まれている。
【０１３０】
Ｓ４０８では、Ｓ４０５で受信した「複写受付通知」又は「メッセージ」を記憶部１０４に保持する。ここで保持された複写受付通知又はメッセージは、次に複写モードが設定されたときに表示するようにしている。
【０１３１】
図１４は、管理サーバ４００における図書サービスプログラムを示す。この図書サービスプログラムは、管理サーバ４００の制御部４０５（コンピュータに含まれる）に、図１４に示すステップを実行させるものである。
【０１３２】
まず、制御部４０５は、携帯通信端末１００からの「書評要求」が通信部４０１により受信されたか否かを判断する（Ｓ５０１）。この判断が「ＹＥＳ」の場合はＳ５０２に移り、「ＮＯ」の場合にはＳ５０７に移る。前記書評要求には、「書名」、「ＩＤ番号」などの管理情報が含まれている。
【０１３３】
Ｓ５０２では、Ｓ５０１で得られた管理情報により、記憶部４０４のデータを検索する。次いで、Ｓ５０２の検索により、前記管理情報と一致する管理情報が検出されたか否かを判断する（Ｓ５０３）。この判断が「ＹＥＳ」の場合はＳ５０４に移り、「ＮＯ」の場合にはＳ５０６に移る。
【０１３４】
Ｓ５０４では、Ｓ５０３で検出されたデータを読み出す。次いで、制御部４０５は、前記データのうちの書評データと、該当する書籍の販売情報を提供するサイトのアドレス（ここでは、ＵＲＬ）とを、通信部４０１により携帯通信端末１００に対して送信する。前記書評及び前記アドレスは、書籍の関連情報に含まれている。
【０１３５】
Ｓ５０６では、Ｓ５０１で受信した書評要求情報を書籍サーバ３００ａへ送信し、書籍サーバ３００ａに対して前記管理情報のデータと一致するデータを蓄積しているか否かを問合せる。
【０１３６】
また、Ｓ５０１の判断が「ＮＯ」の場合、Ｓ５０７では、通信部４０１により、携帯通信端末１００からの「複写要求」が通信部４０１により受信されたか否かを判断する。この判断が「ＹＥＳ」の場合はＳ５０８に移り、「ＮＯ」の場合には何の処理も行わない。
【０１３７】
Ｓ５０８では、Ｓ５０７で得られた管理情報により、記憶部４０４のデータを検索する。次いで、Ｓ５０８の検索により、前記管理情報と一致する管理情報のデータが検出されたか否かを判断する（Ｓ５０９）。この判断が「ＹＥＳ」の場合はＳ５１０に移り、「ＮＯ」の場合にはＳ５１６に移る。
【０１３８】
Ｓ５１０では、Ｓ５０７で取得された「複写要求」が、記憶部４０４に記憶された管理情報の出力条件を満足するか否かを判断する。ここでは、前記複写要求に含まれる指定頁の頁番号の全てが、前記管理情報のうちの「印刷可能な頁番号」に含まれるか否かを判断する。この判断が「ＹＥＳ」の場合はＳ５１１に移り、「ＮＯ」の場合にはＳ５１３に移る。
【０１３９】
Ｓ５１１では、通信部４０１が、前記「複写要求」を送信してきた携帯通信端末１００に対して「受付通知」を送信する。この受付通知には、プリンタ４５０で複写された書籍を受け取るときに、使用者が提示する「受付番号」が含まれている。
【０１４０】
次いで、制御部４０５は、プリンタ４５０に対して「印刷指示」を送信する。この印刷指示には、前記「複写要求」で指定された頁番号に対応する書籍のデータと、前記「受付番号」とが含まれている。
【０１４１】
また、Ｓ５１０の判断が「ＮＯ」の場合、Ｓ５１３では、前記複写要求に含まれる指定頁の頁番号の一部が、前記管理情報のうちの「印刷可能な頁番号」に含まれるか否かを判断する。この判断が「ＹＥＳ」の場合はＳ５１４に移り、「ＮＯ」の場合にはＳ５１５に移る。
【０１４２】
Ｓ５１４では、通信部４０１により、携帯通信端末１００に対して「指定頁の全てを印刷することは許可されていないために、印刷可能な頁のみを印刷する旨」のメッセージを送信させる。このメッセージには、前記「受付番号」が含まれている。
【０１４３】
次いで、制御部４０５は、前記「複写要求」で指定された頁番号と、記憶部４０４に記憶された管理情報の「印刷可能な頁番号」との論理積演算を行い、この演算結果により、プリンタ４５０に対して「印刷指示」を送信する（Ｓ５１５）。この印刷指示には、前記「複写要求」で指定された頁番号のうち、記憶部４０４に記憶された管理情報で許可された頁番号に含まれる頁番号に対応する書籍のデータと、前記「受付番号」とが含まれている。
【０１４４】
また、Ｓ５１３の判断が「ＮＯ」の場合、Ｓ５１７では、通信部４０１により、携帯通信端末１００に対して「指定頁を印刷することは許可されていないために、印刷することはできない旨」のメッセージを送信させる。
【０１４５】
また、Ｓ５０９の判断が「ＮＯ」の場合、Ｓ５１６では、Ｓ５０７で受信した複写要求情報を書籍サーバ３００ａへ送信し、書籍サーバ３００ａに対して前記管理情報と一致するデータを蓄積しているか否かを問合せる。
【０１４６】
図１５は、書籍サーバ３００ａにおける図書サービスプログラムを示す。この図書サービスプログラムは、書籍サーバ３００ａの制御部３０５（コンピュータに含まれる）に、図１５に示すステップを実行させるものである。
【０１４７】
まず、書籍サーバ３００ａの制御部３０５は、携帯通信端末１００からの「書評要求」が管理サーバ４００を介し、「問合せ」として通信部３０１により受信されたか否かを判断する（Ｓ６０１）。この判断が「ＹＥＳ」の場合はＳ６０２に移り、「ＮＯ」の場合にはＳ６０７に移る。前記書評要求には、「書名」、「ＩＤ番号」などの管理情報が含まれている。
【０１４８】
Ｓ６０２では、Ｓ６０１で得られた管理情報により、書籍サーバ３００ａの記憶部３０４のデータを検索する。次いで、Ｓ６０２の検索により、前記管理情報と一致する管理情報のデータが検出されたか否かを判断する（Ｓ６０３）。この判断が「ＹＥＳ」の場合はＳ６０４に移り、「ＮＯ」の場合にはＳ６０６に移る。
【０１４９】
Ｓ６０４では、Ｓ６０３で検出されたデータを読み出す。次いで、制御部６０５は、前記データのうちの書評データと、該当する書籍の販売情報を提供するサイトのアドレス（ここでは、ＵＲＬ）とを、通信部３０１により管理サーバ４００に対して送信する。前記書評及び前記アドレスは、書籍の関連情報に含まれている。なお、管理サーバ４００は、書籍サーバ３００ａから送信された前記書評及び前記アドレスを携帯通信端末１００に転送するようにしている。
【０１５０】
Ｓ６０６では、書籍サーバ３００ａの通信部３０１が「問合せの書評を保持していない旨」のエラーメッセージを管理サーバ４００に対して送信する。なお、管理サーバ４００は、書籍サーバ３００ａから送信されたエラーメッセージを携帯通信端末１００に転送するようにしている。
【０１５１】
また、Ｓ６０１の判断が「ＮＯ」の場合、Ｓ６０７では、書籍サーバ３００ａの通信部３０１により、携帯通信端末１００からの「複写要求」が管理サーバ４００を介して受信されたか否かを判断する。この判断が「ＹＥＳ」の場合はＳ６０８に移り、「ＮＯ」の場合には何の処理も行わない。
【０１５２】
Ｓ６０８では、Ｓ６０７で得られた管理情報により、書籍サーバ３００ａの記憶部３０４のデータを検索する。次いで、Ｓ６０８の検索により、前記管理情報と一致する管理情報が検出されたか否かを判断する（Ｓ６０９）。この判断が「ＹＥＳ」の場合はＳ６１０に移り、「ＮＯ」の場合には何の処理も行わない。
【０１５３】
Ｓ６１０では、前記管理情報と一致する管理情報と対応する書籍のデータを書籍サーバ３００ａの記憶部３０４から読み出す。
【０１５４】
次いで、書籍サーバ３００ａの制御部３０５は、前記「複写要求」により該当する書籍の印刷頁が指定されているか否かを判断する（Ｓ６１１）。この判断が「ＹＥＳ」の場合はＳ６１２に移り、「ＮＯ」の場合にはＳ６１３に移る。
【０１５５】
Ｓ６１２では、書籍サーバ３００ａの通信部３０１が、前記「複写要求」により該当する書籍の指定頁のデータを管理サーバ４００へ送信する。なお、管理サーバ４００は、書籍サーバ３００ａから送信された前記書籍の指定頁のデータに「受付通知」を付加して携帯通信端末１００へ転送するようにしている。
【０１５６】
Ｓ６１３では、書籍サーバ３００ａの通信部３０１が、前記「複写要求」により該当する書籍の全頁のデータを管理サーバ４００へ送信する。なお、管理サーバ４００は、書籍サーバ３００ａから送信された前記書籍の全頁のデータに「受付通知」を付加して携帯通信端末１００へ転送するようにしている。
【０１５７】
なお、Ｓ３１１〜Ｓ３１４が「第１のステップ」に含まれる。また、Ｓ５１３〜Ｓ５１５が「第３のステップ」に含まれる。
【０１５８】
以上のように、本発明の第３の実施形態に係るデータ出力システム２００は、「検索モード」において、複数の書籍９００の管理情報をＩＣチップ９０１ａから携帯通信端末１００のＩＣ読取部１０８で読み取り、前記管理情報の「書名」を書名リストとして表示部１０２に表示しているので、ＩＣチップ付きの書籍が複数収納されている書棚から、ＩＣリーダ付きの携帯通信端末１００を用いて所望の記録媒体（書籍など）を簡単にサーチできる。なお、第１、第２の実施形態に準じて、ＩＣチップの付された書籍を複写するときの不正行為を防止することができる。
【０１５９】
なお、上述した実施形態では「書評モード」において、ＩＣ読取部１０８で読み取った管理情報に「書名」が含まれている場合について説明したが、本発明はこのほかに、前記書名が、管理サーバ４００の記憶部４０４、書籍サーバ３００ａの記憶部３０４、あるいは他の外部記憶装置に記憶された場合についても同様の効果が得られるものである。この場合、無線通信により外部記憶装置から「書名」を取得して携帯通信端末１００の表示部１０２にリスト表示するようにしてもよい。
【０１６０】
また、上述した実施形態では「書評モード」において、書評のみを表示する場合について説明したが、本発明はこのほかに、「価格」、「売れ行き」などを表示しても同様の効果が得られるものである。この場合、管理サーバ４００が書店サーバ３００ｂにアクセスして書籍の販売情報を取得し、書評と共に表示するようにしてもよい。
【０１６１】
また、上述した実施形態では携帯通信端末１００の表示部１０２に表示された「図書サービス」のメニューを選択して「書評モード」を設定する場合について説明したが、本発明はこのほかに、使用者に対して操作部１０３から個人の「識別情報（暗証番号を含む）」を入力させて認証するか、携帯通信端末１００の記憶部１０４に予め設定した「識別情報（暗証番号を含む）」と、管理サーバ４００の記憶部４０４に予め登録された「識別情報（暗証番号を含む）」とが一致した場合に、書評などのデータをダウンロードできるようにしても同様の効果が得られるものである。これは、使用者が所定の会員である場合の特典としての「会員優先サービス」などに利用できる。
【０１６２】
また、上述した実施形態では「複写モード」において、管理サーバ４００は、書籍サーバ３００ａから送信されたデータを携帯通信端末１００へ転送するようにした場合について説明したが、本発明はこのほかに、書籍サーバ３００ａから直接、データを携帯通信端末１００へ送信するようにしても同様の効果が得られるものである。この場合、書籍サーバ３００ａが受付通知を付加して送信することになる。
【０１６３】
また、上述した実施形態では「検索モード」における報知方法として音声出力部１０７により音声メッセージを出力するようにした場合について説明したが、本発明はこのほかに、振動手段により携帯通信端末１００を振動させる方法、点灯手段により携帯通信端末１００の所定部を点灯させる方法などを用いても同様の効果が得られるものである。
【０１６４】
また、上述した実施形態では「検索モード」において、ＩＣリーダを具備した携帯通信端末１００を書棚に近づけて所望の書籍を検出するようにした場合について説明したが、本発明はこのほかに、携帯通信端末１００から所望の書籍の「書名」、「ＩＤ番号」などのデータを直接、管理サーバ４００に送り、管理サーバ４００から一致するものがあるか否かを返すようにしても同様の効果が得られるものである。ここで、一致するものがある場合には、さらに一致した書籍のデータにアクセス可能として、本文中の記載をキーワード検索するようにしてもよい。
【０１６５】
また、上述した実施形態では「複写モード」において、所定の出力条件の全て又は一部を満足しない場合に、書籍の複写を禁止するように出力制御した場合について説明したが、本発明はこのほかに、書籍の記載の撮影を制御するようにしてもよい。例えば、高解像度（１０２４×７６８ドット以上）のディジタルカメラが内蔵された、ＩＣリーダ付きの携帯通信端末において、このＩＣリーダが書籍９００に付されたＩＣチップ９０１ａを検知した場合には、前記ディジタルカメラの起動を禁止し、「検索モード」、「書評モード」、「複写モード」のいずれかを選択するように催告してもよい。
【０１６６】
また、上述した実施形態では「複写モード」において、書籍９００の管理情報により、「印刷可能な頁番号」の頁のデータを出力許可する場合について説明したが、本発明はこのほかに、書籍の複写要求が「所定の頁数」又は「所定のデータ量」以下の場合に出力許可するようにしても同様の効果が得られるものである。また、「所定の段落」又は「所定の文章」の出力のみを不許可とするようにしてもよい。ここで、出力が不許可とされた段落又は文章が複写要求の指定頁にまたがる場合は、不許可部分の印刷データを「白画素データ」として印刷しないように制御することとなる。
【０１６７】
また、上述した実施形態では「複写モード」において、携帯通信端末１００の操作部１０３から直接「書名」などを指定する場合について説明したが、本発明はこのほかに、まず、携帯通信端末１００から管理サーバ４００に対して書名リスト（ジャンル別、著者別など）を要求し、次いで、管理サーバ４００から携帯通信端末１００に対し、記憶部４０４に保持している書籍の書名リストを送信し、次いで、携帯通信端末１００が前記書名リストを表示部１０２に表示し、次いで、操作部１０３の操作で選択された複写対象（Ｓ３１２で指定された複写対象に相当する）及び複写範囲（Ｓ３１３で指定された複写範囲に相当する）を受け付けるようにしても同様の効果が得られるものである。
【０１６８】
また、上述した実施形態では「印刷可能な頁番号」の頁のデータのみを出力許可する場合について説明したが、本発明はこのほかに、前記管理情報により許可されたデータを出力するとき、出力するデータが出力許可されたものであることを示す「許可情報」を付加するようにしても同様の効果が得られるものである。例えば、複写用の記録媒体として印刷用紙を用いた場合は、この印刷用紙に「許可マーク」を印刷するようにしてもよい。また、複写用の記録媒体としてＣＤ‐ＲＯＭなどのメモリを用いた場合は、書籍９００のデータと「許可情報」とをリンクさせてもよい。この構成は、請求項６に係る発明の実施形態である。
【０１６９】
また、上述した実施形態では携帯通信端末１００の操作部１０３から「複写サービス」を選択して出力対象及び出力範囲を入力し、この出力範囲と管理サーバ４００の記憶部４０４の管理情報（印刷可能な頁番号）により、データの出力範囲を限定する場合について説明したが、本発明はこのほかに、操作部１０３から入力される情報に例えば「使用者の認証情報（ＩＤカードのＩＤ番号、会員番号など）」を含み、この認証情報に応じてデータの出力許可範囲を変更するように出力制御しても同様の効果が得られるものである。この場合は、さらにデータの出力サービスを多様化させることができる。例えば、会員の場合は通常よりも詳しいサンプルを見ることができるようにしてもよい。あるいは年齢に応じて所定の書籍を閲覧することを禁止するようにしてもよい。前述した構成は、請求項７に係る発明の実施形態であって、前記「使用者の認証情報」が「更新情報」に含まれる。なお、所定の追加料金を支払うか、プリペイドカードによる支払精算を行うと、出力許可範囲が広がるように変更する構成としてもよい。
【０１７０】
また、上述した実施形態では「検索モード」において、携帯通信端末１００の操作部１０３から入力された「検索情報」と、ＩＣ読取部１０８で読み取られたＩＣチップ９０１ａの「書名」とにより、所望の書名の書籍９００を検索して報知する場合について説明したが、本発明はこのほかに、前記「検索情報」によって管理サーバ４００が記憶部４０４のデータを検索し、前記「検索情報」を含む頁を検出して、該当頁を有する書籍の書名、出力の可否情報を携帯通信端末１００に送信して表示部１０２に表示させるか、あるいはプリンタ４５０に印刷データを送信して印刷させるようにしても同様の効果が得られるものである。この場合、該当する書籍の書名リスト及び出力可能な頁を表示するか、出力可能な頁を有する書籍の書名に「マーク」を付してリスト表示するようにしてもよい。
【０１７１】
また、上述した実施形態では「複写モード」において、複写対象として所望の書籍を指定する場合について説明したが、本発明はこのほかに、複写対象として「任意の検索情報（キーワードなど）を含む頁」を指定しても同様の効果が得られるものである。例えば、管理サーバ４００又は書籍サーバ３００ａに記憶されたデータから「キーワード」を含む頁を検索して出力する「モード」を、携帯通信端末１００の操作部１０３の操作により制御部１０５が設定し、管理サーバ４００の制御部４０５は、携帯通信端末１００から前記キーワードを含む「複写要求」が送信されたとき、前記データから前記キーワードを含む頁を検索し、プリンタ４５０に前記頁の印刷データを送信して出力させるようにしてもよい。この構成は、請求項８に係る発明の実施形態であって、携帯通信端末１００の操作部１０３、制御部１０５が「モード設定手段」に含まれる。
【０１７２】
【発明の効果】
以上説明したように、本発明は管理情報により対象情報のデータ（「書籍のデータ」を含む）の限定された一部が出力許可されている場合に、指示入力手段（操作表示部を含む）により出力指示された前記対象情報のデータの一部又は全部のうち、前記限定された一部に含まれるデータを出力することにより、前記出力対象のデータの一部について出力管理することができるという優れた効果を有するデータ出力装置を提供することができるものである。
【図面の簡単な説明】
【図１】本発明の第１の実施形態に係るディジタル複写機の外観を示す斜視図である。
【図２】本発明の第１の実施形態に係るディジタル複写機の制御系を示すブロック図である。
【図３】本発明の第１の実施形態に係るブック原稿の斜視図である。
【図４】本発明の第１の実施形態に係るディジタル複写機の出力制御方法を示すフローチャートである。
【図５】本発明の第２の実施形態に係るデータ出力装置の構成を示すブロック図である。
【図６】本発明の第２の実施形態に係るデータ出力装置の出力制御方法を示すフローチャートである。
【図７】本発明の第３の実施形態に係るデータ出力システムの構成を示すブロック図である。
【図８】本発明の第３の実施形態に係る携帯通信端末の構成を示すブロック図である。
【図９】本発明の第３の実施形態に係る書籍サーバ又は書店サーバの構成を示すブロック図である。
【図１０】本発明の第３の実施形態に係る管理サーバの構成を示すブロック図である。
【図１１】本発明の第３の実施形態に係る図書サービスメニュー画面を示す図である。
【図１２】本発明の第３の実施形態に係るデータ出力システム（携帯通信端末）の出力制御方法（サービスを要求する時）を示すフローチャートである。
【図１３】本発明の第３の実施形態に係るデータ出力システム（携帯通信端末）の出力制御方法（サービスを受ける時）を示すフローチャートである。
【図１４】本発明の第３の実施形態に係るデータ出力システム（管理サーバ）の出力制御方法を示すフローチャートである。
【図１５】本発明の第３の実施形態に係るデータ出力システム（書籍サーバ）の出力制御方法を示すフローチャートである。
【符号の説明】
８０  ディジタル複写機
８２ａ  表示部
８２ｂ  操作部
８７  ＩＣ読取部
８８  圧板開閉検知部
８９  記憶部
９０  制御部
８０１  原稿セット部
８０２  操作表示部
８０２ａ  液晶ディスプレイ
８０２ｂ  テンキー
８０３  スキャナ部
８０４  プリンタ部
８０５  給紙部
８０６  圧板
８０７  ＩＣリーダ
８０８  圧板開閉センサ
【図１】
2004295562.tif 000003
【図２】
2004295562.tif 000004
【図３】
2004295562.tif 000005
【図４】
2004295562.tif 000006
【図５】
2004295562.tif 000007
【図６】
2004295562.tif 000008
【図７】
2004295562.tif 000009
【図８】
2004295562.tif 000010
【図９】
2004295562.tif 000011
【図１０】
2004295562.tif 000012
【図１１】
2004295562.tif 000013
【図１２】
2004295562.tif 000014
【図１３】
2004295562.tif 000015
【図１４】
2004295562.tif 000016
【図１５】
2004295562.tif 000017